(57)【要約】【課題】使用者が吐水を開始する際に、すぐに吐水を開始することができ、また、吐水に空気が混入されることがなく、洗浄感が損なわれることがない衛生洗浄装置を提供することを目的とする。【解決手段】着座検知機構が使用者の着座を検知している状態で、かつ、吐水ノズルから水が吐出されていない状態は、タンク本体の内部に水が溜まっていて、着座検知機構が使用者の着座を検知していない状態は、タンク本体の内部の水が排出されていることを特徴とする衛生洗浄装置である。【選択図】図６
2014190000.tif 000002
【特許請求の範囲】
【請求項１】
人体局部に向けて水を吐出する吐水ノズルと、
前記吐水ノズルに水を供給する給水路と、
前記給水路に設けられた開放式タンクであって、
タンク本体と、
前記タンク本体の内部に水を流入させる流入口と、
前記タンク本体の内部の水を前記吐水ノズルへ流出させる流出口と、
前記流入口との間にエアギャップを形成するように設けられ、前記タンク本体の内部の余剰水を外部へ排出するオーバーフロー口と、
を有する開放式タンクと、
前記開放式タンクよりも下流の前記給水路に設けられ、前記流出口から水を汲み出し前記給水路の下流に供給する洗浄用ポンプと、
前記開放式タンクを収納するケーシングと、
前記ケーシングに取付けられ、使用者の着座の有無を検知する着座検知機構を備えた便座と、
を備えた衛生洗浄装置において、 
前記着座検知機構が使用者の着座を検知している状態で、かつ、前記吐水ノズルから水が吐出されていない状態は、前記タンク本体の内部に水が溜まっていて、 
前記着座検知機構が使用者の着座を検知していない状態は、前記タンク本体の内部の水が排出されていることを特徴とする衛生洗浄装置。
【請求項２】
前記開放式タンクは、
前記タンク本体の内部の水の最低水位を検知する水位検知機構を備え、
前記着座検知機構が使用者の着座を検知していない状態から、前記着座検知機構が使用者の着座を検知している状態に移行したときに、前記タンク本体の内部に給水され、
前記水位検知機構が最低水位を検知すると給水が停止されることを特徴とする請求項１に記載の衛生洗浄装置。
【発明の詳細な説明】
【技術分野】
【０００１】
本発明は、吐出される洗浄水によって人体の洗浄部分を洗浄する洗浄ノズルを備える衛生洗浄装置に関する。
【背景技術】
【０００２】
洋式便器本体の上部に設置され、吐出される洗浄水によって人体を洗浄する洗浄ノズルを備えた衛生洗浄装置において、洗浄ノズルへの水路の途中にエアギャップを設けた開放式タンクと開放式タンクの下流に設けられていて、開放式タンク内の水を汲み上げて人体を洗浄する洗浄用ポンプを備えるものが知られている。(特許文献１)
特許文献１の衛生洗浄装置では、水の供給を停止した状態で、開放式タンク内から水をポンプにより排出する水抜制御を実行する制御装置を備えている構成が開示されている。
【０００３】
特許文献1の衛生洗浄装置では、開放式タンク内から水を排出する水抜制御を行うことで、清掃時や移設時等に衛生洗浄装置を傾斜されても、開放式タンク外へと水が漏出しない。しかし、洗浄開始時にタンク内が空の状態でポンプを駆動させると、空気が混入した洗浄水が吐水される。そのため、空気が混入した洗浄水で人体が洗浄されるため、洗浄感が著しく損なわれるという問題がある。
この問題を解決するために、洗浄開始時に給水により開放式タンク内に 一定の水が溜まるまで洗浄用ポンプを駆動しないと、洗浄開始まで時間がかかるという問題がある。
【先行技術文献】
【特許文献】
【０００４】
【特許文献１】特開２０１０−９０６２１号公報
【発明の概要】
【発明が解決しようとする課題】
【０００５】
本発明は、上記課題を解決するものであり、使用者が吐水を開始する際に、すぐに吐水を開始することができ、また、吐水に空気が混入されることがなく、洗浄感が損なわれることがない衛生洗浄装置を提供するものである。
【課題を解決するための手段】
【０００６】
第１の発明は、人体局部に向けて水を吐出する吐水ノズルと、前記吐水ノズルに水を供給する給水路と、前記給水路に設けられた開放式タンクであって、タンク本体と、前記タンク本体の内部に水を流入させる流入口と、前記タンク本体の内部の水を前記吐水ノズルへ流出させる流出口と、前記流入口との間にエアギャップを形成するように設けられ、前記タンク本体の内部の余剰水を外部へ排出するオーバーフロー口と、を有する開放式タンクと、前記開放式タンクよりも下流の前記給水路に設けられ、前記流出口から水を汲み出し前記給水路の下流に供給する洗浄用ポンプと前記開放式タンクを収納するケーシングと、前記ケーシングに取付けられ、使用者の着座の有無を検知する着座検知機構を備えた便座と、を備えた衛生洗浄装置において、前記着座検知機構が使用者の着座を検知している状態で、かつ、前記吐水ノズルから水が吐出されていない状態は、前記タンク本体の内部に水が溜まっていて、前記着座検知機構が使用者の着座を検知していない状態は、前記タンク本体の内部の水が排出されていることを特徴とする衛生洗浄装置である。
【０００７】
この衛生洗浄装置によれば、着座検知機構が使用者の着座を検知している状態で、かつ、吐水ノズルから水が吐出されていない状態は、タンク本体の内部に水が溜まっている。そのため使用者が吐水を開始する際に、すぐに吐水を開始することができる。また、吐水に空気が混入されることがないため、洗浄感が損なわれることがない。
【０００８】
第２の発明は、前記開放式タンクは、前記タンク本体の内部の水の最低水位を検知する水位検知機構を備え、前記着座検知機構が使用者の着座を検知していない状態から、前記着座検知機構が使用者の着座を検知している状態に移行したときに、前記タンク本体の内部に給水され、前記水位検知機構が最低水位を検知すると給水が停止されることを特徴とする衛生洗浄装置である。
【０００９】
この衛生洗浄装置によれば、前記着座検知機構が使用者の着座を検知している状態ではタンク内の水が最低水位付近に保たれている。そのため、前記着座検知機構が使用者の着座を検知しない状態に移行したときに、タンク内の水を短い時間で排出できる。それにより、衛生洗浄装置が便器から取り外され、傾けられた際に、タンク内の水が衛生洗浄装置内部に飛散する可能性を抑制できる。
【発明の効果】
【００１０】
使用者が吐水を開始する際に、すぐに吐水を開始することができ、また、吐水に空気が混入されることがなく、洗浄感が損なわれることがない衛生洗浄装置を提供することができる。
【図面の簡単な説明】
【００１１】
【図１】本発明の実施形態に係る衛生洗浄装置を備えたトイレ装置の外観図である。
【図２】本発明の実施形態に係る衛生洗浄装置の内部構成を表す透視図である。
【図３】本発明の実施形態に係る衛生洗浄装置の制御ブロック図である。
【図４】本発明の実施形態に係る衛生洗浄装置の脱臭ユニット及び開放式タンク近傍の斜視図である。
【図５】本発明の実施形態に係る衛生洗浄装置の水路構成を表すブロック図である。
【図６】本発明の実施形態に係る衛生洗浄装置のタイムチャートの一例を表す概略図である。
【発明を実施するための形態】
【００１２】
図１は、本発明の実施形態に係る衛生洗浄装置を備えたトイレ装置１０の外観図である。尚、本実施形態のトイレ装置１０はいわゆる「ロータンク式」であるが、本発明は、大便器（腰掛便器）２００に流す水を制御するバルブ機構を備えた「水道直圧式」にも適用することができる。
【００１３】
本実施形態の衛生洗浄装置１００は、大便器２００の後部上方に設けられた本体部１１０を有する。本体部１１０の筺体を構成するケーシング１２０には、便蓋１３０及び、便蓋１３０によって覆われる図示されない便座が回動自在に軸支されている。
【００１４】
図２は、本発明の実施形態に係る衛生洗浄装置の内部構成を表す透視図である。ケーシング１２０は、ケースカバー１２１とケースプレートとを有する。ケースプレートは平板状に形成されて大便器２００上に載置されており、その前方には吐水ノズル１３１が配設される。このほか、ケースプレート上には、脱臭ユニット１４０、熱交換器１５０、制御装置１６０、リモコン受信部、着座センサ、給水バルブユニット１７０、開放式タンク１８０など、衛生洗浄を行うために必要となる種々の要素が配設されている。また、ケースカバー１２１の側方には、水道管から水の供給を受ける給水部が設けられている。尚、本願明細書において「水」という場合には、冷水のみならず、加熱された温水も含むものとする。
【００１５】
吐水ノズル１３１は、大便器２００のボウル部内に進退自在であり、大便器２００に着座した使用者の「おしり」などに水を吐出して洗浄する機能を備える。この吐水ノズル１３１が大便器２００のボウル部内に進出した状態で、通水／止水を切り替える電磁弁を内蔵した給水バルブユニット１７０を通過した水を吐出する。
【００１６】
熱交換器１５０は、吐水ノズル１３１から温水を吐出するため、給水バルブユニット１７０から供給される水の加熱を行う。後述するように、熱交換器１５０の内部には、通電により発熱するヒータ１５１が設けられている。
【００１７】
制御装置１６０は、リモコン受信部１６１で受信した図示しないリモコンからの信号に基づいて、吐水ノズル１３１の進退や水の吐出量、熱交換器１５０の加熱量等を制御する。
【００１８】
脱臭ユニット１４０は、後に詳述するように、大便器２００のボウル部内の空気を吸引し、脱臭して排気口１４１から排出する役割を有する。脱臭ユニット１４０は、使用者が便座に着座したことを着座センサ１６２が検出すると、脱臭ファン１４２を駆動させ、脱臭ダクト１４３を介してボウル部内の空気の吸引を開始する。
【００１９】
図３は、本発明の実施形態に係る衛生洗浄装置の制御ブロック図である。
【００２０】
リモコンＲは、使用者が衛生洗浄装置１００を操作するためのユーザインタフェースであり、衛生洗浄装置１００の運転を停止させる停止スイッチＳ１と、衛生洗浄装置１００が有する複数の洗浄モードのそれぞれに対応させた運転モードスイッチが設けられている。具体的には、「おしり」スイッチＳ２、「ビデ」スイッチＳ３、「やわらか」スイッチＳ４、の３つの運転モードスイッチが設けられており、使用者は衛生洗浄装置１００に実行させたい運転モードに対応した運転モードスイッチを操作する。
【００２１】
使用者の操作に基づいて、リモコンＲは制御装置１６０に操作信号を送信する。制御装置１６０はその操作信号を受信し、電磁弁１７４の閉弁／開弁の切り替えや、切替弁１９２による水の供給先の切り替え、脱臭ファン１４２、ヒータ１５１、洗浄用ポンプ１９１、ノズル駆動装置１３２の駆動を制御する。また、制御装置１６０は、着座センサ１６２から発信された検知信号を受信するよう構成されており、受信した検知信号に基づいて制御内容を適宜決定する。制御装置１６０が制御するこれら各要素については、後に詳述する。
【００２２】
脱臭ダクト１４３とケースプレート１２２との間に形成される隙間には、開放式タンク１８０が配設される。開放式タンク１８０は、吐水ノズル１３１の吐水口から水路中に汚水が浸入した場合にも、その汚水が水道管まで逆流することが無いよう、水路中にいわゆるエアギャップを設ける機能を有する。開放式タンク１８０は、その内部に水を貯留可能であって、給水バルブユニット１７０（図２参照）を通過した水を内部へ流入させる流入口１８１と、内部の水を外部へ排出させる流出口１８６ａと、を有する。さらに、開放式タンク１８０は横長に構成されており、脱臭ダクトの左方に流入口１８１が、右方に流出口１８６ａが配置される。また、開放式タンク１８０の後方には、洗浄用ポンプ１９１が設けられている。
【００２３】
以下、開放式タンク１８０の構造について詳細に説明する。
図４は、本発明の実施形態に係る衛生洗浄装置の開放式タンク１８０の構造と水の流れを表す模式図であり、このうち、図４（ａ）は開放式タンク１８０の斜視図を、図４（ｂ）は開放式タンク１８０のＡ−Ａ断面図を表す。
【００２４】
図４に表すように、開放式タンク１８０は、パッキンを介設して組み立てられる複数の部材から構成されている。入水部材１８４とタンク本体１８５に溜まった水の水位を検知する水位検知機構であるフロートスイッチ１８７とがタンクふた１８６に取り付けられる。入水部材１８４は水平方向に給水を行うことから、流入口１８１がタンクふた１８６に対して水平に取りつく。タンクふた１８６はパッキンを介して水密としながら、タンク本体１８５の上部に取りつく。タンクふた１８６は、入水部材１８４から流入する水を２０ｍｍ以上の空間的な隔たりを確保したのち、入水部材と同軸に位置する受け穴で受け、矢印Ｆ１のようにタンク本体１８５へと導く。また、タンクふた１８６には、タンク本体１８５に溜まった水を底面付近からポンプへと導く流出口１８６ａが設けられている。
【００２５】
フロートスイッチ１８７はケース内に２つのリードスイッチを格納しており、浮子がケース外に取りついており、水位によって上下することで、リードスイッチのＯＮ−ＯＦＦして水位を検知している。下のリードスイッチによる水位検知高さをＨ１、上のリードスイッチによる検知高さをＨ２とする。
【００２６】
タンク本体１８５では、底部を絞り、ポンプ１９１の駆動時にエア噛みをしない水位まで短時間での貯水を可能にする絞り部１８５ａと貯水部１８５ｂとからなる。
【００２７】
続いて、図５を参照しつつ、吐水ノズル１３１に供給される水の流れについて説明する。
図５は、本発明の実施形態に係る衛生洗浄装置の水  路構成を表すブロック図である。
【００２８】
水道管５００に接続された止水栓５０１と給水バルブユニット１７０とが、可撓性を有するフレキホース５０２で接続されている。給水バルブユニット１７０は、上流への水の逆流を防ぐ逆止弁１７１や、水中の異物を捕捉するストレーナ１７２、給水圧にかかわらず水の流量を一定に保つ定流量弁１７３、通電により開弁して下流への通水／止水を選択的に切り替える電磁弁１７４等を有する。
【００２９】
電磁弁１７４を通過した水は、開放式タンク１８０内に流入する。開放式タンク１８０の下流には、洗浄用ポンプ１９１が接続されている。洗浄用ポンプ１９１は、開放式タンク１８０内の水を汲み出して下流に供給するとともに、流量（水勢）の調節も可能とされている。
【００３０】
洗浄用ポンプ１９１の下流には、熱交換器１５０が設けられている。熱交換器１５０は、例えばシーズヒータなどの加熱源であるヒータ１５１を備えており、上流の洗浄用ポンプ１９１から供給される水を貯留して加熱する。洗浄用ポンプ１９１から水が供給されると、熱交換器１５０の上部に設けられた出湯口１５２から、加熱された水が押し出されて流出する。また、熱交換器１５０の内部には、貯水の水位を検知するフロートスイッチ１５６が設けられており、検知される水位が所定水位以下である場合にはヒータ１５１の駆動を停止する、いわゆる空焚き防止機能を備えている。
【００３１】
熱交換器１５０の下流には、切替弁１９２、吐水ノズル１３１が設けられている。熱交換器１５０の出湯口１５２から流出した水は、切替弁１９２によって、その供給先を吐水ノズル１３１の複数ある吐水口のいずれかに切り替えられる。例えば、使用者がリモコンＲの「おしり」スイッチＳ３（図３参照）を操作した場合には、制御装置１６０は、「おしり」の洗浄位置に対応する吐水ノズル１３１の吐水口に対して水が供給先されるよう、切替弁１９２を切り替える。吐水ノズル１３１から吐出される水の水勢及び温度は、使用者が好みに応じて変更することが可能であり、使用者はリモコンＲにより洗浄用ポンプ１９１の駆動状態やヒータ１５１の加熱量を調節する。また、吐水ノズル１３１は、電動モータ等で構成されるノズル駆動装置１３２の駆動によって、ケーシング１２０に収納される位置と、大便器２００のボウル部内に進出した位置との間で、進退自在とされている。
【００３２】
以上のように構成することで、開放式タンク１８０内に貯留されている水は、洗浄用ポンプ１９１によって汲み出されるとともに、汲み出されて吐水ノズル１３１から吐出される流量も使用者が好みに応じて調整することが可能である。
【００３３】
図６は、本発明の実施形態に係る衛生洗浄装置のタイムチャートの一例を表す概略図である。
【００３４】
衛生洗浄装置１００の待機状態から、ｔ１で着座センサ１６２が使用者の便座への着座を検知すると、制御装置１６０は電磁弁１７４を開弁して開放式タンク１８０への給水を開始させる。タンク内の水位がＨ１以上になった時、給水を止めて、開放式タンク１８０内に水を貯留させておき、吐水ノズル１３１からの水の吐出に備える。
【００３５】
言い換えれば、着座センサ１６２が使用者の着座を検知していない状態から、着座センサ１６２が使用者の着座を検知している状態に移行したときに、タンク本体１８５の内部に給水され、フロートスイッチ１８７が最低水位であるＨ１を検知すると給水が停止される。
【００３６】
そのため、着座センサ１６２が使用者の着座を検知している状態ではタンク本体１８５の水が最低水位Ｈ１付近に保たれている。そのため、着座センサ１６２が使用者の着座を検知しない状態に移行したときに、タンク本体１８５の水を短い時間で排出できる。それにより、衛生洗浄装置１００が大便器２００から取り外され、傾けられた際に、タンク本体１８５の水が衛生洗浄装置１００内部に飛散する可能性を抑制できる。
【００３７】
洗浄時、ポンプは開放式タンク１８０の水位がＨ１以上でのみ駆動され、給水は開放式タンク１８０の水位がＨ２になると、給水をやめ、所定時間(ＴＹ)が経つと再給水をするものとする。ここでの所定時間(ＴＹ)はポンプ駆動による開放式タンク内の水位の減少がＨ１以下にならない時間を設定する。
次に、ｔ２で開放式タンク１８０への給水が終了すると、使用者によるリモコンＲ（図３参照）での運転モード選択に待機する。ｔ３で使用者が「ビデ」スイッチＳ３（図３参照）を操作すると、制御装置１６０は熱交換器１５０から流出した水を吐水ノズル１３１の「ビデ」に対応する吐水口に供給すべく、切替弁１９２を切り替える。また、ｔ４でノズル駆動装置１３２を駆動させ、吐水ノズル１３１をケーシング１２０内から「ビデ」に対応する位置まで進出させる。
続いて、制御装置１６０はｔ５で再び電磁弁１７４を開弁させるとともに、ｔ６にかけて洗浄用ポンプ１９１の駆動によって供給される水の流量（水勢）を５段階で増加させる。これにより、吐水ノズル１３１の吐水口から徐々に勢いを増す水が吐出される。
【００３８】
ｔ７で使用者がリモコンＲの停止スイッチＳ１を操作すると、制御装置１６０は電磁弁１７４を閉弁して吐水ノズル１３１からの水の吐出を終了させるとともに、ノズル駆動手段１３２を駆動させ、吐水ノズル１３１をケーシング１２０内に収納する。また、ｔ８で吐水ノズル１３１の収納が完了すると、次に切替弁１９２を「やわらか」の位置に戻し、ｔ９から待機状態となる。 
【００３９】
使用者が洗浄を終えてｔ１０で便座から離れることで、着座センサ１６２は非検知状態となる。この着座センサ１６２の非検知状態が継続した時間が、所定時間Ｔ０（例えば３０秒）以上となったとき（ｔ１１）、制御装置１６０は、使用者が衛生洗浄装置１００の使用を終えたと判断し、開放式タンク１８０内の水抜きを開始する。
つまり、本実施形態は着座センサ１６２が使用者の着座を検知している状態で、かつ、吐水ノズル１３１から水が吐出されていない状態は、タンク本体１８５の内部に水が溜まっていて、 着座センサ１６２が使用者の着座を検知していない状態は、タンク本体１８５の内部の水が排出されている。
【００４０】
そのため、着座センサ１６２が使用者の着座を検知している状態で、かつ、吐水ノズル１３１から水が吐出されていない状態は、タンク本体１８５の内部に水が溜まっている。そのため使用者が吐水を開始する際に、すぐに吐水を開始することができる。また、吐水に空気が混入されることがないため、洗浄感が損なわれることがない。
【００４１】
また、便座に着座した使用者が、例えば予備のトイレットペーパーを取るために一時的に便座から離れた場合などにも、着座センサ１６２が非検知状態となる。そのため、仮に着座センサ１６２が非検知状態となると即座に制御装置１６０が開放式タンク１８０内の水抜きを開始するよう設定すると、上記のように一時的な非検知状態となった場合に、使用者がまだ衛生洗浄装置１００を使用しているにもかかわらず開放式タンク１８０内から水が抜かれてしまう。したがって、使用者がそれから再度の洗浄を所望してリモコンＲを操作しても、水が抜かれてしまった開放式タンク１８０内に再度水を貯留させる時間を要するため、吐水ノズル１３１からの水の吐出開始が遅延するという不具合が生じる。
したがってここでは、着座センサ１６２の非検知状態が継続した時間が所定時間Ｔ０以上となったときに、使用者が衛生洗浄装置１００の使用を終えて完全に便座から離れたと判断し、開放式タンク１８０内の水抜きを開始することで、上記不具合を解消している。
【００４２】
ここで、制御装置１６０は、洗浄用ポンプ１９１を駆動させることで開放式タンク１８０内の水抜きを行っている。洗浄用ポンプ１９１の駆動によって開放式タンク１８０内から汲み出される水は、熱交換器１５０を介してケーシング１２０内に収納されている吐水ノズル１３１に至り、吐水ノズル１３１の吐水口から静かに大便器２００のボウル部内に排出される。
【００４３】
ｔ１２で開放式タンク１８０内の水抜きが完了すると、制御装置１６０は洗浄用ポンプ１９１の駆動を停止させ、衛生洗浄装置１００は再び待機状態となる。 
【００４４】
以上説明したように、衛生洗浄装置１００は使用勝手を損なうことなく開放式タンク１８０内の水を抜いた状態とすることができる。したがって、衛生洗浄装置１００を大便器２００から取り外して清掃や移設を行う際に、衛生洗浄装置１００が傾斜して開放式タンク１８０内の水が漏出し、ケーシング１２０内に設けられた脱臭ファンや制御装置１６０が被水するといった事態の発生を防止することができる。また、開放式タンク１８０内に長期間水が残留することによる、残留水の腐敗を抑制することもできる。さらに、吐水ノズル１３１に向け水を供給する洗浄用ポンプ１９１を開放式タンク１８０内の水抜きにも使用するため、衛生洗浄装置１００は水を抜く手段を別途具備する必要が無く、低コストでコンパクトに構成することが可能となる。
【００４５】
以上、具体例を参照しつつ、本発明の実施の形態について説明した。しかし、本発明は、これらの具体例に限定されるものではない。上記実施形態では、着座センサ１６２が非検知状態となることで、制御装置１６０は衛生洗浄装置が使用されていない状態になったと判断し、開放式タンク１８０内の水抜きを行っている。しかし、本発明はこれに限られず、着座センサ１６２に代え、便蓋１３０が閉止状態にあることを検知する便蓋閉止検知センサを設け、この便蓋閉止検知センサの検知状態に基づいて、衛生洗浄装置が使用されていない状態になったことを判断してもよい。すなわち、便蓋閉止検知センサが便蓋１３０の閉止を検知したことから、衛生洗浄装置が使用されていない状態になったと判断し、開放式タンク１８０内の水抜きを行ってもよい。これにより、衛生洗浄装置の使用中であるにもかかわらず開放式タンク１８０内の水抜きが行われてしまうといった、衛生洗浄装置の使用勝手を損なう事態の発生を防止することができる。また、着座センサ１６２、便蓋閉止検知センサに代え、使用者がトイレ装置の前に立つことを検知するトイレ使用検知センサやトイレルームに入室した使用者を検知する入室センサを用いることができる。このほか、衛生洗浄機能の使用を終了したとみなせる使用者の操作として、例えば、おしり洗浄、ビデ洗浄等の運転モードを停止した後に局部乾燥スイッチを押した場合、あるいは、便器洗浄の実行を検知した場合などに、それらの検知に基づいて開放式タンク１８０内の水抜きを行ってもよい。
【００４６】
また、例えばケーシング１２０の外側面に水抜スイッチを設け、使用者が水抜きスイッチを操作することで、制御装置１６０が開放式タンク１８０内の水抜きを行うよう構成してもよい。これにより、衛生洗浄装置が使用を待機している状態にあるときは、迅速に吐水ノズル１３１からの水の吐出を開始できるよう開方式タンク１８０内に水を残しておくとともに、清掃や移設の作業開始時には開放式タンク１８０内から水を抜き、ケーシング１２０内の他部品の被水を防止することができる。
【００４７】
本発明の衛生洗浄装置に含まれる各要素については、当業者が適宜設計変更することにより本発明を同様に実施し、同様の効果を得ることができるものも本発明の要旨を含む限り、本発明の範囲に包含される。
【符号の説明】
【００４８】
１０ トイレ装置、１００ 衛生洗浄装置、１１０ 本体部、１２０ ケーシング、１２１ ケースカバー、１３０ 便蓋、１３１ 吐水ノズル、１４０ 脱臭ユニット、１４２ 脱臭ファン、１５０ 熱交換器、１５１ ヒータ、１５２ 出湯口、１６０ 制御装置、１７０ 給水バルブユニット、１８０ 開放式タンク、１８１ 流入口、１８４ 入水部材、１８５ タンク本体、１８６ タンクふた、１８６ａ 流出口、１８７ フロートスイッチ、１９１ 洗浄用ポンプ、２００ 大便器、５００ 水道管
【図１】
2014190000.tif 000003
【図２】
2014190000.tif 000004
【図３】
2014190000.tif 000005
【図４】
2014190000.tif 000006
【図５】
2014190000.tif 000007
【図６】
2014190000.tif 000008